(57)【要約】【課題】ドアの位置及び傾きの調整作業を効率良く行うことができ、作業者の労力を十分に軽減することができるエレベータのドア調整装置及びドア調整方法の提供。【解決手段】本発明は、かごドア４と敷居６との間に介装されるベース１１と、このベース１１の長手方向の側部に設けられ、開口部１の内側に当接してかごドア４の開閉方向におけるベース１１の位置決めを行う位置決め板１２と、ベース１１上に立設され、かごドア４の開閉方向に沿う面に当接して支持する支持板１６ａ，１６ｂ及びボルト１７と、ベース１１上に立設され、かごドア４の開閉方向側の端部を保持する保持板２０及びボルト２１とを備え、ベース１１は、下方に突出して敷居６の溝部６Ａに嵌合するボルト１３と、かごドア１１の水平方向の傾きを調整するジャッキボルト１４ａ，１４ｂとを有する。【選択図】図１
2015003826.tif 000002
【特許請求の範囲】
【請求項１】
出入口を形成する開口部と、この開口部の上方に設けられたドアレールと、このドアレールにローラを介して懸架され、このローラが転動して開閉するドアと、このドアの下端に設けられるシューと、このシューが係合する溝部が形成され、前記ドアを前記ドアレールに沿って案内する敷居とを備えたエレベータに適用され、
前記出入口に対して前記ドアが設置される位置及び傾きを調整するエレベータのドア調整装置において、
前記ドアと前記敷居との間に介装されるベースと、
このベースの長手方向の側部に設けられ、前記開口部の内側に当接して前記ドアの開閉方向における前記ベースの位置決めを行う位置決め部と、
前記ベース上に立設され、前記ドアの開閉方向に沿う面に当接して支持する当接支持部と、
前記ベース上に立設され、前記ドアの開閉方向側の端部を保持する保持部とを備え、
前記ベースは、
下方に突出して前記敷居の前記溝部に嵌合する突出部と、
前記ドアの水平方向の傾きを調整する水平調整部とを有することを特徴とするエレベータのドア調整装置。
【請求項２】
請求項１に記載のエレベータのドア調整装置において、
前記突出部は、その突出量が所定の操作に応じて増減可能に設けられたことを特徴とするエレベータのドア調整装置。
【請求項３】
請求項１に記載のエレベータのドア調整装置において、
前記当接保持部は、前記ドアに対向するように配置され、前記ドアの開閉方向に沿う面を両側から支持する一対の支持板から成り、
前記ドアは、前記一対の支持板のうち一方の面に当接することを特徴とするエレベータのドア調整装置。
【請求項４】
請求項１に記載のエレベータのドア調整装置において、
前記位置決め部は、前記ベースから分離可能に形成され、前記開口部の間口に合わせて記ベースの長手方向の側部に取り付けられることを特徴とするエレベータのドア調整装置。
【請求項５】
請求項１に記載のエレベータのドア調整装置において、
前記ベースは、所定の位置で分割可能に形成されたことを特徴とするエレベータのドア調整装置。
【請求項６】
出入口を形成する開口部と、この開口部の上方に設けられたドアレールと、このドアレールにローラを介して懸架され、このローラが転動して開閉するドアと、このドアの下端に設けられるシューと、このシューが係合する溝部が形成され、前記ドアを前記ドアレールに沿って案内する敷居とを備えたエレベータに適用され、
前記出入口に対して前記ドアが設置される位置及び傾きを調整するエレベータのドア調整方法において、
前記ドアと前記敷居との間に介装されるベースの長手方向の側部に設けられた位置決め部を前記開口部の内側に当接し、前記ドアの開閉方向における前記ベースの位置決めを行う工程と、
前記ベースを前記敷居上に載置する工程と、
前記ベースから下方に突出した突出部を前記敷居の前記溝部に嵌合させる工程と、
前記ドアの水平方向の傾きを調整する水平調整部を用いて前記ドアを前記ベース上に水平に載置する工程と、
前記ドアの開閉方向側の端部を前記ベース上に立設された保持部に保持させる工程と、
前記ドアの開閉方向に沿う面を前記ベース上に立設された当接支持部に当接させて前記ドアを支持する工程と、
前記ドアの開閉方向に沿う面が前記当接支持部に当接されると共に、前記ドアの開閉方向側の端部が前記保持部に保持された状態で、前記ドアを前記ローラを介して前記ドアレールに懸架する工程と、
前記ドアを前記当接支持部及び前記保持部から取外し、前記ベースを前記敷居から撤去する工程とを備えたことを特徴とするエレベータのドア調整方法。
【発明の詳細な説明】
【技術分野】
【０００１】
本発明は、エレベータの出入口に対してドアが設置される位置及び傾きを調整するエレベータのドア調整装置及びドア調整方法に関する。
【背景技術】
【０００２】
この種の従来技術の１つとして、特許文献１に示すエレベータのドア装置が知られている。この従来技術のエレベータのドア装置は、ドアと吊持板との間に吊持板の左右に設けられ、ドアを吊ると共に、ドアの高さ及び傾きを調整する吊り調整手段と、ドアの吊り調整時にドアの下端部側面にジャストタッチする支えによりドアの傾きを調整してドアの位置決めを行うドア位置決め調整手段とを備えている。
【先行技術文献】
【特許文献】
【０００３】
【特許文献１】特開平９−２４０９７１号公報
【発明の概要】
【発明が解決しようとする課題】
【０００４】
上述した特許文献１に開示された従来技術のエレベータのドア装置は、ドアの吊り調整作業においてドア全体を保持又は支持する手段が考慮されていない。そのため、ドアの下部に設けられたドア位置決め調整手段の支えにドアを設置したり、あるいはこの支えを上部に移動させるときに、ドアの上部に吊持板を介して取り付けられたローラがレールから外れることが懸念されている。このような懸念を解消するには、ドアの吊り調整作業においてドア位置決め調整手段によるドアの位置決めと吊り調整手段によるドアの高さ及び傾きの調整を行う作業者と、ドアの吊り調整作業においてドア全体を支える作業者とを別々に配置することが必要となり、ドアの吊り調整作業に多くの労力を要することが問題になっている。
【０００５】
また、従来技術のエレベータのドア装置では、ドアの吊り調整作業において作業者がドア位置決め調整手段によるドアの位置決めを行う度に、上述のローラ、レールの下部に接して配置された案内ローラ、及び吊り調整手段の調整ボルトの位置を調整する作業が必要となるので、ドアの吊り調整作業に時間がかかることが問題となっている。
【０００６】
本発明は、このような従来技術の実情からなされたもので、その目的は、ドアの位置及び傾きの調整作業を効率良く行うことができ、作業者の労力を十分に軽減することができるエレベータのドア調整装置及びドア調整方法を提供することにある。
【課題を解決するための手段】
【０００７】
上記の目的を達成するために、本発明のエレベータのドア調整装置は、出入口を形成する開口部と、この開口部の上方に設けられたドアレールと、このドアレールにローラを介して懸架され、このローラが転動して開閉するドアと、このドアの下端に設けられるシューと、このシューが係合する溝部が形成され、前記ドアを前記ドアレールに沿って案内する敷居とを備えたエレベータに適用され、前記出入口に対して前記ドアが設置される位置及び傾きを調整するエレベータのドア調整装置において、前記ドアと前記敷居との間に介装されるベースと、このベースの長手方向の側部に設けられ、前記開口部の内側に当接して前記ドアの開閉方向における前記ベースの位置決めを行う位置決め部と、前記ベース上に立設され、前記ドアの開閉方向に沿う面に当接して支持する当接支持部と、前記ベース上に立設され、前記ドアの開閉方向側の端部を保持する保持部とを備え、前記ベースは、下方に突出して前記敷居の前記溝部に嵌合する突出部と、前記ドアの水平方向の傾きを調整する水平調整部とを有することを特徴としている。
【０００８】
また、本発明に係るエレベータのドア調整方法は、出入口を形成する開口部と、この開口部の上方に設けられたドアレールと、このドアレールにローラを介して懸架され、このローラが転動して開閉するドアと、このドアの下端に設けられるシューと、このシューが係合する溝部が形成され、前記ドアを前記ドアレールに沿って案内する敷居とを備えたエレベータに適用され、前記出入口に対して前記ドアが設置される位置及び傾きを調整するエレベータのドア調整方法において、前記ドアと前記敷居との間に介装されるベースの長手方向の側部に設けられた位置決め部を前記開口部の内側に当接し、前記ドアの開閉方向における前記ベースの位置決めを行う工程と、前記ベースを前記敷居上に載置する工程と、前記ベースから下方に突出した突出部を前記敷居の前記溝部に嵌合させる工程と、前記ドアの水平方向の傾きを調整する水平調整部を用いて前記ドアを前記ベース上に水平に載置する工程と、前記ドアの開閉方向側の端部を前記ベース上に立設された保持部に保持させる工程と、前記ドアの開閉方向に沿う面を前記ベース上に立設された当接支持部に当接させて前記ドアを支持する工程と、前記ドアの開閉方向に沿う面が前記当接支持部に当接されると共に、前記ドアの開閉方向側の端部が前記保持部に保持された状態で、前記ドアを前記ローラを介して前記ドアレールに懸架する工程と、前記ドアを前記当接支持部及び前記保持部から取外し、前記ベースを前記敷居から撤去する工程とを備えたことを特徴としている。
【発明の効果】
【０００９】
本発明のエレベータのドア調整装置及びドア調整方法によれば、ドアの位置及び傾きの調整作業を効率良く行うことができ、作業者の労力を十分に軽減することができる。前述した以外の課題、構成及び効果は、以下の実施形態の説明により明らかにされる。
【図面の簡単な説明】
【００１０】
【図１】本発明に係るエレベータのドア調整装置の一実施形態とかご側の開口部との位置関係を示す斜視図である。
【図２】本実施形態に係るドア調整装置を用いて両開き式のかごドアの位置及び傾きを調整する作業状況を示す正面図である。
【図３】図２のＢ−Ｂ線に沿う断面図である。
【図４】本実施形態に係るドア調整装置を用いて片開き式のかごドアの位置及び傾きを調整する作業状況を示す正面図である。
【図５】本発明に係るエレベータのドア調整装置の一実施形態と乗場側の開口部との位置関係を示す斜視図である。
【図６】本実施形態に係るドア調整装置を用いて両開き式の乗場ドアの位置及び傾きを調整する作業状況を示す正面図である。
【図７】図６のＣ−Ｃ線に沿う断面図である。
【図８】本実施形態に係るドア調整装置を用いて片開き式の乗場ドアの位置及び傾きを調整する作業状況を示す正面図である。
【発明を実施するための形態】
【００１１】
以下、本発明に係るエレベータのドア調整装置及びドア調整方法を実施するための形態を図に基づいて説明する。
【００１２】
本発明に係るドア調整装置の一実施形態は、例えば建物に設置され、乗客を目的階へ輸送するエレベータに適用される。このエレベータは、かご又は乗場に設置され、乗客をかごに乗降させるためのドア装置を備えており、このドア装置は、図１〜図３に示すように出入口を形成する開口部１と、この開口部１の上方に設けられたかごドアレール２と、このかごドアレール２に一対のローラ３を介してそれぞれ懸架され、各ローラ３が転動して開閉する一対のかごドア４と、各かごドア４の下端に設けられる凸状のシュー（図示せず）と、このシューが係合する凹状の溝部６Ａが形成され、各かごドア４をかごドアレール２に沿って案内する敷居６とを備えている。なお、この敷居６は、かご側及び乗場側の床７，８に配設されている。また、開口部１は、例えばかごの三方枠により形成され、かごの出入口の強度が確保されている。
【００１３】
ここで、以下の説明において、かごドア４の正面（図２参照）から見て開口部１の間口方向を前後方向、かごドア４の開閉方向を左右方向、かごの昇降方向を上下方向と便宜的に呼ぶことにする。
【００１４】
かごドア４は、互いに左右方向に開く両開き式のドアで構成されており、上面に連結されたＬ字型の一対の吊持板４Ａを有している。各吊持板４Ａの左右両端には、一対のローラ３が回転可能に取り付けられている。各かごドア４の下部のシューは、下方に突出した形状に形成されており、敷居６の溝部６Ａに係合した状態でローラ３の転動に伴って摺動するようになっている。これにより、かごドア４の開閉動作中に各かごドア４のふらつきが防止され、各かごドア４が前後方向から押された際に一定の強度を有する。
【００１５】
また、かごドアレール２と敷居６は、上方及び正面（図２参照）から見て平行に据付けられており、かごドア４の高さに応じて定められた一定の間隔で上下方向に離隔して配置されている。これにより、各かごドア４をかごドアレール２上に懸架し、敷居６の溝部６Ａに各かごドア４のシューを係合させたときに、各かごドア４の下端と敷居６の上面との間隔が一定に保たれ、かごドア４の開閉動作中に各かごドア４の下端が敷居６の上面に接触しないので、かごドア４の開閉動作が安定かつ円滑に行われる。
【００１６】
ここで、ドア装置の据付作業における調整作業、例えば敷居６に対するかごドアレール２の位置の調整作業等が十分に行われていなかったり、あるいはドア装置の各部材に製作上の誤差がある場合には、シューと敷居６の溝部６Ａとの摩擦力が大きくなったり、あるいは各かごドア４の下端が敷居６に接触することがあるので、かごドア４の開閉動作中に異常音や異常振動が発生する要因となる。
【００１７】
そこで、これらの要因を取り除くために、作業者がかごドア４の位置及び傾きの調整作業を行う際に、本実施形態に係るドア調整装置１０を用いる。以下、このドア調整装置１０の構成及びこのドア調整装置１０を用いたドア調整方法を分かり易く説明するために、最初に一般的なエレベータのドア装置の据付作業及びドア調整方法を図１〜図３を参照して説明する。
【００１８】
一般的なエレベータのドア装置の据付作業では、エレベータが設置される建物毎に定められた敷居６の先端位置を基準にして、かごドアレール２と敷居６が平行となるように留意しながら平面配置が決定される。次に、作業者は敷居６の上面を基準にかごドアレール２の高さを調整してかごドアレール２を据え付けた後、かごドアレール２に吊持板４Ａと一体となったローラ３を載置する。
【００１９】
そして、作業者は、一対のかごドア４を開口部１へ搬送して吊持板４Ａに取り付けると共に、シューを敷居６の溝部６Ａに挿入する。これにより、かごドア４がローラ３及び吊持板４Ａを介してかごドアレール２に懸架されるので、ローラ３がかごドアレール２上を転動することにより、各かごドア４は左右方向へ開閉する。
【００２０】
このとき、敷居６に対するドアレール２の位置の調整作業が十分に行われていても、吊持板４Ａの微小な傾き等の影響により、通常、前述したようにドア装置の各部材に製作上の誤差があるので、ドア装置の据付作業後にかごドア４の位置及び傾きの調整作業が必要となる。そのため、各かごドア４の上面と吊持板４Ａとの間には、エレベータの出入口に対して各かごドア４の位置及び傾きの調整を行うための余裕代が設けられている。
【００２１】
一般的なドア調整方法では、まず作業者はかごドアレール２又は上層階の敷居６から水糸等を垂直に垂らし、この水糸等を基準に各かごドア４の前後方向における傾き（倒れ）を調整すると共に、かごドア４を正面（図２参照）から見たときの各かごドア４の傾き、すなわち各かごドア４の左右方向の傾きを調整する。
【００２２】
次に、各かごドア４の下端と敷居６の上面との間隔を一定にするために、例えば各かごドア４の上面と吊持板４Ａとの間に様々な厚みの調整板９を挿入して各かごドア４の上下方向の位置の調整を行う。このように、作業者は敷居６の先端位置を基準にしたかごドアレール２と敷居６との平面配置を考慮し、水糸等を用いてかごドア４の前後方向及び左右方向の傾きとかごドア４の上下方向の位置の調整を並行して行う必要があるので、一般的なドア調整方法には熟練した専門技術が作業者に要求される。
【００２３】
次に、本実施形態に係るドア調整装置１０の構成を図１〜図３を参照して詳細に説明する。
【００２４】
本実施形態に係るドア調整装置１０は、かごドア４と敷居６との間に介装されるベース１１と、このベース１１の長手方向（左右方向）の側部に設けられ、開口部１の内側に当接してかごドア４の開閉方向（左右方向）におけるベース１１の位置決めを行う位置決め部とを備え、この位置決め部は、例えば板状の部材で形成され、ベース１１から開口部１側へ突出する一対の位置決め板１２から成っている。なお、ベース１１は、例えば長手方向（左右方向）の長さが開口部１の間口の幅よりも大きく設定され、前後方向の長さが敷居６の幅よりも小さく設定された平板から成っている。
【００２５】
ベース１１は、下方に突出して敷居６の溝部６Ａに嵌合する突出部を有し、この突出部は、その突出量が所定の操作に応じて増減可能に設けられている。例えば、ベース１１の長手方向（左右方向）側の両端には一対の雌螺子（図示せず）が形成され、これらの雌螺子に螺合する一対のボルト１３が上方からベース１１に取り付けられることにより、各ボルト１３の軸部１３ａがベース１１の下方へ突出し、ベース１１の下方に位置する敷居６の溝部６Ａに嵌合するようになっている。すなわち、各ボルト１３の軸部１３ａが上述の突出部として機能する。従って、各ボルト１３を軸線周りに回動して各ボルト１３のベース１１に対する挿通量を調整する操作により、各ボルト１３の軸部１３ａの突出量が増減される。
【００２６】
また、ベース１１は、かごドア４の水平方向の傾きを調整する水平調整部を有し、この水平調整部は、例えばベース１１の長手方向（左右方向）の両側部分のうち各ボルト１３が螺合する各雌螺子の近傍に形成された雌螺子（図示せず）と、これらの各雌螺子に螺合する一対のジャッキボルト１４ａと、ベース１１の中央部分に形成された雌螺子（図示せず）と、この雌螺子に螺合するジャッキボルト１４ｂとから構成されている。
【００２７】
各ジャッキボルト１４ａ，１４ｂは上方からベース１１に取り付けられ、各ジャッキボルト１４ａ，１４ｂを軸線周りに回動して各ジャッキボルト１４ａ，１４ｂのベース１１に対する挿通量を調整することにより、各ジャッキボルト１４ａ，１４ｂの軸部の先端が敷居６の上面に当接してベース１１の長手方向の両側部分及び中央部分における敷居６からの高さがそれぞれ変化するようになっている。
【００２８】
各位置決め部１２は、ベース１１から分離可能に形成され、開口部１の間口に合わせてベース１１の長手方向の側部に取り付けられるようになっている。各位置決め部１２は、設置対象のエレベータの開口部１の寸法を予め調査してベース１１の側部のうち開口部１を形成する三方枠の柱間の距離に一致する位置に互いに離隔して配置され、ボルトやピン等の固定手段（図示せず）を使用して固定されている。
【００２９】
また、ドア調整装置１０は、ベース１１上に立設され、かごドア４の開閉方向（左右方向）に沿う面に当接して支持する当接支持部を備えている。この当接支持部は、例えばかごドア４に対向するように配置され、かごドア４の開閉方向（左右方向）に沿う面を両側から支持する一対の支持板（以下、便宜的に前側（乗場側）の支持板を前支持板、後側（かご側）の支持板を後支持板と呼ぶ）１６ａ，１６ｂから成り、かごドア４は、一対の前支持板１６ａ及び後支持板１６ｂのうち一方の面、例えば後支持板１６ｂの面に当接するようになっている。
【００３０】
本実施形態では、前当接板１６ａ及び後当接板１６ｂは、ベース１１の中央部分から上方に垂直に立ち上がり、かごドア４の開閉方向（左右方向）に沿う両面を挟み込むように平行に配置されている。前支持板１６ａの上端及び下端には、例えば一対の雌螺子（図示せず）がそれぞれ形成され、これらの各雌螺子に螺合する４本のボルト１７が乗場側から前支持板１６ａの上端及び下端に２本ずつそれぞれ取り付けられることにより、各ボルト１７の軸部の先端がかごドア４をかご側の後支持板１６ｂに均等な力で押し当てるようになっている。
【００３１】
さらに、ドア調整装置１０は、ベース１１上に立設され、かごドア４の開閉方向（左右方向）側の端部を保持する保持部を備えており、この保持部は、例えば板状の部材で形成された一対の保持板２０と、各保持板２０の上部に形成された雌螺子（図示せず）と、各雌螺子に螺合する一対のボルト２１とから構成されている。
【００３２】
各保持板２０は、ベース１１の左右方向の両側部分から上方に垂直に立ち上がり、かごドア４の開閉方向（左右方向）側の端部を挟み込むように平行に配置されて互いに向き合った状態になっている。そして、各ボルト２１は各保持板２０の外側から取り付けられることにより、各保持板２０を挿通した各ボルト２１の軸部の先端がかごドア４をベース１１の中央側へ押し付けている。
【００３３】
本実施形態では、各前支持板１６ａ及び後支持板１６ｂの幅の寸法（左右方向の大きさ）と各保持板２０の幅の寸法（前後方向の大きさ）、並びにベース１１上における前支持板１６ａ、後支持板１６ｂ、及び各保持板２０の間隔は、ドア調整装置１０が設置されてかごドア４を前支持板１６ａ、後支持板１６ｂ、及び各保持板２０の間に正面（図２参照）側から斜めに傾けた状態で挿入できるように設定されている。
【００３４】
次に、本実施形態に係るドア調整方法の構成を図１〜図３を参照して詳細に説明する。
【００３５】
本実施形態に係るドア調整方法では、作業者は、まずかごドア４と敷居６との間に介装されるベース１１の長手方向（左右方向）の側部に設けられた位置決め板１２を、開口部１を形成する三方枠の柱に内側から当接させてかごドア４の開閉方向（左右方向）におけるベース１１の位置決めを行い、ベース１１を敷居６上に載置する。このとき、ベース１１から下方に突出したボルト１３の軸部１３ａを敷居６の溝部６Ａに嵌合させ、ベース１１の下面を敷居６の上面に隙間なく密着させる。
【００３６】
次に、ドア調整装置１０が設置されて両開き式の一対のかごドア４を各前支持板１６ａ、後支持板１６ｂ、及び各保持板２０の間に正面側から斜めに傾けた状態で挿入し、かごドア４の水平方向の傾きを調整するジャッキボルト１４ａ，１４ｂを用いてかごドア４をベース１１上に水平に載置する。なお、かごドア４をベース１１上に設置する前に、ジャッキボルト１４ａ，１４ｂを軸線周りに回動してベース１１が敷居６上に水平に載置されるように設定しておくことが望ましい。これにより、かごドア４をベース１１上に設置すると同時にかごドア４の水平方向の傾きが適切に調整されるので、次の作業に迅速に移ることができる。
【００３７】
次に、作業者は、保持板２０に取り付けられたボルト２１を軸線周りに回動してかごドア４の開閉方向（左右方向）側の端部をボルト２１の軸部に保持させて各かごドア４を閉じ、かごドア４の開閉方向（左右方向）に沿う面を前支持板１６ａ及び後支持板１６ｂに対向させる。そして、前支持板１６ａに取り付けられた各ボルト１７を軸線周りに回動して各ボルト１７の軸部の先端を各かごドア４の開閉方向（左右方向）に沿う乗場側（前側）の面に押し当てることにより、各かごドア４の開閉方向（左右方向）に沿うかご側（後側）の面をベース１１上の後支持板１６ｂに隙間なく当接させる。これにより、各かごドア４が各ボルト１７，２１及び後支持板１６ｂに固定されてベース１１上に立設された状態を保つので、作業者がかごドア４を手で支えなくても各かごドア４が動くことがなく、その位置及び傾きを維持することができる。
【００３８】
次に、作業者は、各かごドア４が各ボルト１７，２１及び後支持板１６ｂに固定された状態で、各かごドア４をローラ３が取り付けられた吊持板４Ａに固定してドアレール２に懸架する。このとき、かごドア４の上面と吊持板４Ａとの間に隙間が生じた場合には、調整板９を挿入して固定用ボルト（図示せず）を締結することにより、各かごドア４を吊持板４Ａに固定し直す。これにより、各かごドア４がエレベータの出入口に対してその位置及び傾きが適切に調整される。
【００３９】
次に、作業者は、各ボルト２１を軸線周りに回動して開方向へ引き抜き、各ボルト１７を軸線周りに回動して乗場側（前側）へ引き抜いた後、かごドア４の開閉方向（左右方向）に沿う面が各前支持板１６ａ及び後支持板１６ｂに対向しない位置までローラ３をガイドレール２上で転動させてかごドア４を開く。そして、各かごドア４はローラ３及び吊持板４Ａを介してドアレール２に懸架されているので、各かごドア４の下部を昇降路側（後側）へ押すことにより、各かごドア４の下部が昇降路側（後側）へ押し込まれ、各かごドア４をベース１１上から昇降路側（後側）へ離れるように傾けることができる。
【００４０】
この状態では、各かごドア４はドア調整装置１０に固定されていないので、作業者はベース１１を敷居６から取り外すことにより、ドア調整装置１０を撤去する。このとき、ベース１１の各ボルト１３を軸線周りに回動してベース１１の下方へ突出しないように軸部１３ａの突出量を減少させておくことにより、ベース１１を水平に滑らすことができるので、ドア調整装置１０を容易に撤去することができる。そして、各かごドア４の下端にシューを取り付け、かごドア４の位置及び傾きの調整作業が終了する。
【００４１】
このように構成した本実施形態に係るドア調整装置１０及びドア調整方法によれば、エレベータの出入口に対してかごドア４の位置及び傾きを調整する際に、各かごドア４が各ボルト１７，２１及び後支持板１６ｂに固定されてベース１１上に立設した状態を保つことができるので、一般的なドア調整方法に要求される熟練した専門技術を用いなくても、作業者はかごドア４の位置及び傾きの調整作業を単独で迅速に行うことができる。これにより、かごドア４の位置及び傾きの調整作業を効率良く行うことができ、作業者の労力を十分に軽減することができる。
【００４２】
また、本実施形態に係るドア調整装置１０は、設置対象のエレベータ毎に敷居６の溝部６Ａの深さが異なっていても、ベース１１の長手方向（左右方向）の両側の各ボルト１３を軸線周りに回動して各ボルト１３のベース１１に対する挿通量を調整する操作を行うことにより、各ボルト１３の軸部１３ａの突出量を増減して敷居６の溝部６Ａの深さに合わせることができるので、ベース１１を敷居６上に堅実に固定することができる。
【００４３】
また、本実施形態に係るドア調整装置１０は、かごドア４の位置及び傾きの調整作業において、後支持板１６ｂがベース１１から上方に垂直に立ち上がっているので、各かごドア４を後支持板１６ｂに当接させるだけで各かごドア４の上下方向と前後方向の位置及び傾きを容易に調整することができる。さらに、各ジャッキボルト１４ａ，１４ｂを軸線周りに回動することにより、ベース１１の長手方向（左右方向）の両側部分及び中央部分における敷居６からの高さが変化するので、各かごドア４がベース１１に設置される前後において各かごドア４の左右方向の位置及び傾きも容易に調整することができる。
【００４４】
また、本実施形態に係るドア調整装置１０は、開口部１の幅（左右方向の大きさ）がエレベータ毎に異なっている場合には、各位置決め板１２がベース１１の長手方向（左右方向）に取り付けられる位置を開口部１の間口に合わせて変更することにより、１台で各種のエレベータに適用することができる。これにより、汎用性が高い装置を提供することができる。
【００４５】
また、本実施形態に係るドア調整装置１０は、かごドア４がローラ３及び吊持板４Ａを介してドアレール２に懸架される前に敷居６に設置されて使用されるので、仮にかごドア４と敷居６との間に設置スペースを確保し難いエレベータであっても影響を受けないで済む。従って、作業者はドア調整装置１０の設置作業を円滑に行うことができる。
【００４６】
なお、上述した本実施形態は、本発明を分かり易く説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。
【００４７】
また、本実施形態に係るドア調整装置１０では、位置決め部が２枚の位置決め板１２から構成された場合について説明したが、この場合に限らず、位置決め板１２の枚数は１枚又は３枚以上であっても良い。さらに、本実施形態に係るドア調整装置１０では、４本のボルト１７が前支持板１６ａに取り付けられ、これらの各ボルト１７によってかごドア４が後支持板１６ｂの面に押し当てられた場合について説明したが、この場合に限らず、各ボルト１７を後支持板１６ｂに取り付け、これらの各ボルト１７によってかごドア４を前支持板１６ａの面に押し当てるようにしても良い。
【００４８】
また、本実施形態に係るドア調整装置１０が適用されたエレベータのかごドア４は、左右方向に開閉する両開き式のドアから構成された場合について詳細に説明したが、この場合に限らず、かごドア４は、図４に示すように左右方向に開閉する片開き式のドアから構成されても良い。
【００４９】
この場合には、ドア調整装置１０の代わりに、ベース１１が所定の位置、例えば中央位置（図１に示すＡ−Ａ線）の接合部２５で分割可能に形成されたドア調整装置３０を用いることにより、上述の両開き式のかごドア４に使用したドア調整装置１０と同様の作用効果を得ることができる。また、ドア調整装置３０は、図４に示すように前支持板１６ａの４本のボルト１７うち右側の２本のボルト１７を、ドア調整装置１０の一方の位置決め板１２に代用して他方の位置決め板１２と共に開口部１を形成する三方枠の柱２６に当接させ、かごドア４の開閉方向（左右方向）におけるベース１１の位置決めを行うようにしている。
【００５０】
このように、エレベータのかごドア４の種類に応じてドア調整装置１０，３０を使い分けることにより、エレベータの適用範囲を高められるので、利便性に優れている。なお、かごドア４の水平方向の傾きの調整は、図１に示すベース１１の左側のジャッキボルト１４ａと中央側のジャッキボルト１４ｂを軸線周りに回動して行われる。
【００５１】
また、本実施形態に係るドア調整装置１０，３０は、図１〜図４に示すようにエレベータのかごドア４に設置された場合について説明したが、この場合に限らず、例えば図５〜図８に示すようにエレベータの乗場ドア３４に適用しても良い。この場合には、ドア調整装置１０，３０の位置決め板１２を乗場側の開口部３１の内側に当接して乗場ドア３４の開閉方向（左右方向）におけるベース１１の位置決めを行うことにより、上述のドア調整装置１０，３０をかごドア４に使用した場合と同様の作用効果を得ることができる。
【符号の説明】
【００５２】
１，３１  開口部
２  かごドアレール
３  ローラ
４  かごドア
４Ａ  吊持板
６  敷居
６Ａ  溝部
７  かご側の床
８  乗場側の床
９  調整板
１０  ドア調整装置
１１  ベース
１２  位置決め板（位置決め部）
１３  ボルト
１３ａ  軸部
１４ａ，１４ｂ  ジャッキボルト
１６ａ  前支持板（当接支持部）
１６ｂ  後支持板（当接支持部）
１７  ボルト
２０  保持板（保持部）
２１  ボルト（保持部）
２５  接合部
３４  乗場ドア
【図１】
2015003826.tif 000003
【図２】
2015003826.tif 000004
【図３】
2015003826.tif 000005
【図４】
2015003826.tif 000006
【図５】
2015003826.tif 000007
【図６】
2015003826.tif 000008
【図７】
2015003826.tif 000009
【図８】
2015003826.tif 000010